(57)【要約】【課題】各種法令に抵触せず、かつ従来品に対して各種性能において遜色のない洗浄剤およびワックス組成物を用いる洗車方法、および該方法に用いる洗浄剤およびワックス組成物を提供すること。【解決手段】車両表面を洗浄剤により洗浄した後にワックス組成物で処理する車両表面のワックス処理方法において、上記洗浄剤の主要な洗浄成分が、アルキル基の炭素数がＣ8〜Ｃ18であるアルキルポリグルコシド（Ａ成分）と炭素数Ｃ10〜Ｃ18のアミンオキサイド（Ｂ成分）とからなり、Ａ成分とＢ成分との混合質量比Ａ／Ｂ＝２０／８０〜８０／２０であり、上記ワックス組成物の主要なワックス成分が、動植物油および／または動植物ワックスであることを特徴とする車両表面のワックス処理方法。【選択図】なし【特許請求の範囲】
【請求項１】
車両表面を洗浄剤により洗浄した後にワックス組成物で処理する車両表面のワックス処理方法において、上記洗浄剤の主要な洗浄成分が、アルキル基の炭素数がＣ8〜Ｃ18であるアルキルポリグルコシド（Ａ成分）と炭素数Ｃ10〜Ｃ18のアミンオキサイド（Ｂ成分）とからなり、Ａ成分とＢ成分との混合質量比Ａ／Ｂ＝２０／８０〜８０／２０であり、上記ワックス組成物の主要なワックス成分が、動植物油および／または動植物ワックスであることを特徴とする車両表面のワックス処理方法。
【請求項２】
洗浄剤が、石油系原料からなる洗浄成分を実質的に含有していない請求項１に記載の車両表面のワックス処理方法。
【請求項３】
ワックス組成物が、石油系原料からなるワックス成分を実質的に含有していない請求項１に記載の車両表面のワックス処理方法。
【請求項４】
主要な洗浄成分が、アルキル基の炭素数がＣ8〜Ｃ18であるアルキルポリグルコシド（Ａ成分）と炭素数Ｃ10〜Ｃ18のアミンオキサイド（Ｂ成分）とからなり、Ａ成分とＢ成分との混合質量比Ａ／Ｂ＝２０／８０〜８０／２０であることを特徴とする車両表面の洗浄剤。
【請求項５】
石油系原料からなる洗浄成分を実質的に含有していない請求項４に記載の車両表面の洗浄剤。
【請求項６】
主要なワックス成分が、動植物油および／または動植物ワックスであることを特徴とする車両表面のワックス組成物。
【請求項７】
石油系原料からなるワックス成分を実質的に含有していない請求項６に記載の車両表面のワックス組成物。
【請求項８】
動植物油および／または動植物ワックス２〜２０質量％とカチオン系界面活性剤２〜１０質量％とノニオン系界面活性剤０．１〜３．０質量％と残余の水分とからなり、上記ワックス成分が上記界面活性剤により水中に乳化されている請求項６に記載のワックス組成物。
【発明の詳細な説明】
【技術分野】
【０００１】
本発明は、車両表面のワックス処理方法、それに使用する洗浄剤およびワックス組成物に関し、さらに詳しくは環境汚染物質および排水負荷物質である石油系原料からなる成分を含まず、さらには環境ホルモン該当物質や特定化学物質の環境への排出量の把握および管理の推進に関する法律（以下；ＰＲＴＲ法）に適合し、労働安全衛生法通知対象物質および表示対象物質を含まない環境負荷軽減を目的とした車両表面のワックス処理方法、それに使用する洗浄剤およびワックス組成物に関する。
【背景技術】
【０００２】
従来、汚れた車両表面を洗浄およびワックス処理して車両表面を奇麗にするワックス洗車方法が広く利用されている。これらの方法で使用する洗浄剤の洗浄成分としては、高い洗浄性や発泡性を得るために、石油系原料を出発物質として合成されたノニオン系界面活性剤やアニオン系界面活性剤が使用されている。
【０００３】
上記ノニオン系界面活性剤としては、例えば、ポリ（オキシエチレン）アルキルエーテル（アルキル基の炭素数が１２〜１５までのものおよびその混合物）があり、特にそれらのうちで広く使用されているポリ（オキシエチレン）オクチルフェニルエーテルおよびポリ（オキシエチレン）ノニルフェニルエーテルは、環境に排出されて自然界で分解していく過程において、環境ホルモン物質であるオクチルフェノールやノニルフェノールを生成することの懸念から、上記化合物の使用を中止および軽減する方向に至っている。
【０００４】
また、アニオン系界面活性剤のうちでも、広く使用されている直鎖アルキルベンゼンスルホン酸およびその塩（アルキル基の炭素数が１０〜１４までのもの、およびその混合物に限る。）がＰＲＴＲ法該当物質として指定されていることから、これらのアニオン系界面活性剤の使用も制限されるようになっている。
【０００５】
また、洗車後ワックス処理に使用されるワックス組成物も、ワックス処理面に撥水性を付与するために、パラフィンオイルやパラフィンワックスなどの石油系原料から得られた製品を含有している。上記パラフィンオイルなどは、鉱油に分類されており、労働安全衛生法により、その配合量によってはＭＳＤＳ通知対象物質やラベル表示対象物質となっている。その他に、吸着剤として使用されていたカチオン系界面活性剤であるビス（水素化牛脂）ジメチルアンモニウムクロリドもＰＲＴＲ法該当物質として指定されている。
【０００６】
このような状況下において、環境汚染の畏れのない洗浄剤およびワックス組成物の開発が要望されている。このような新規な洗浄剤およびワックス組成物は、前記各種法規に抵触しないとしても、水質汚濁防止法や下水道法の排水規制値であるＮ−ヘキサン抽出物質量やＣＯＤ（化学的酸素要求量）を低減させることが必要であり、そのために洗車施設において排水処理装置などを設けるとすると、上記数値を低減させるための設備費用、処理費用および維持費用がコスト高であり、経済的に許容することができない。洗浄剤およびワックス組成物は、その双方が処理後に同一の排水経路を辿り、油水分離層や排水処理設備に排出されるため、どちらか一方を上記法規非該当および排水規制値低減を試みたところで、最終的には上記条件を満たすことは困難である（特許文献１、２）。
【特許文献１】特開２００５−２６３９３４公報
【特許文献２】特開２００４−３５２８４３公報
【発明の開示】
【発明が解決しようとする課題】
【０００７】
本発明は上記事情を鑑みて為されたものあり、本発明の目的は、前記各種法令に抵触せず、かつ従来品に対して各種性能において遜色のない洗浄剤およびワックス組成物を用いる洗車方法、および該方法に用いる洗浄剤およびワックス組成物を提供することである。
【課題を解決するための手段】
【０００８】
上記目的は以下の本発明によって達成される。すなわち、本発明は、車両表面を洗浄剤により洗浄した後にワックス組成物で処理する車両表面のワックス処理方法において、上記洗浄剤の主要な洗浄成分が、アルキル基の炭素数がＣ8〜Ｃ18であるアルキルポリグルコシド（Ａ成分）と炭素数Ｃ10〜Ｃ18のアミンオキサイド（Ｂ成分）とからなり、Ａ成分とＢ成分との混合質量比Ａ／Ｂ＝２０／８０〜８０／２０であり、上記ワックス組成物の主要なワックス成分が、動植物油および／または動植物ワックスであることを特徴とする車両表面のワックス処理方法を提供する。上記車両表面のワックス処理方法においては、洗浄剤およびワックス組成物が、いずれも石油系原料からなる洗浄成分またはワックス成分を実質的に含有していないことが好ましい。
【０００９】
また、本発明は、主要な洗浄成分が、アルキル基の炭素数がＣ8〜Ｃ18であるアルキルポリグルコシド（Ａ成分）と炭素数Ｃ10〜Ｃ18のアミンオキサイド（Ｂ成分）とからなり、Ａ成分とＢ成分との混合質量比Ａ／Ｂ＝２０／８０〜８０／２０であることを特徴とする車両表面の洗浄剤を提供する。該洗浄剤は、石油系原料からなる洗浄成分を実質的に含有していないことが好ましい。
【００１０】
また、本発明は、主要なワックス成分が、動植物油および／または動植物ワックスであることを特徴とする車両表面のワックス組成物を提供する。該組成物は、石油系原料からなるワックス成分を実質的に含有していないこと；および動植物油および／または動植物ワックス２〜２０質量％とカチオン系界面活性剤２〜１０質量％とノニオン系界面活性剤０．１〜３．０質量％と残余の水分とからなり、上記ワックス成分が上記界面活性剤により水中に乳化されていることが好ましい。
【発明の効果】
【００１１】
本発明者らは、洗浄剤には、主要洗浄成分としてアルキルポリグルコシドおよびアミンオキサイドを配合し、ワックス組成物として、動植物油および／または動植物ワックスを配合させた組成物を使用することにより、本発明の目的を達成した。
本発明の洗浄剤およびワックス組成物は、いずれも動植物系および／または天然由来成分を有効成分として使用し、かつ各種法令に遵守した成分などを組み合わせて適宜配合することにより、洗浄剤においては適切な発泡性および洗浄性を有し、ワックス組成物においては撥水性および吸着性に優れた効果を発現することができる。
これらの洗浄剤およびワックス組成物の車両表面に対する適用方法として、自動塗布装置を有する機械である門型洗車機やスプレー式洗車機を使用することにより、上記効果を有効に発現させることができる。
【発明を実施するための最良の形態】
【００１２】
次に好ましい実施の形態を挙げて本発明をさらに詳しく説明する。本発明の洗浄剤を構成する主要な洗浄成分は、アルキル基の炭素数がＣ8〜Ｃ18であるアルキルポリグルコシド（Ａ成分）と、炭素数Ｃ10〜Ｃ18のアミンオキサイド（Ｂ成分）である。
【００１３】
上記Ａ成分は、下記一般式（Ｉ）で表される。
2007119587.tif 000002
（上記一般式（Ｉ）においてＲ1はＣ8〜Ｃ18のアルキル基であり、ｎは１〜２の整数である。）
このようなＡ成分におけるアルキル基の好ましい例としては、Ｃ10のデシル基、Ｃ12のドデシル基、Ｃ14のテトラデシル基、Ｃ16のヘキサデシル基などが挙げられる。上記Ａ成分においてアルキル基の炭素数が８未満（７以下）であると洗浄性不充分などの理由で本発明の目的には不適当であり、一方、上記Ａ成分においてアルキル基の炭素数が１８を超える（１９以上）と排水規制値低減化に寄与しないなどの理由で本発明の目的には不適当である。
以上の如きＡ成分は、例えば、商品名ノニオシド  Ｄ−１２（第一工業製薬（株）製）、商品名ＯＲＡＭＩＸ  ＮＳ１０（ＳＥＰＰＩＣ社製）、商品名マイドール１０（花王（株）製）、商品名ＰＬＡＮＴＡＣＡＲＥ  ２０００ＵＰ（コグニスジャパン（株）製）などの商品名で市場から入手して本発明で使用できる。
【００１４】
また、上記Ｂ成分は、アルキル基の炭素数がＣ10〜Ｃ18のアミンオキサイドであり、下記一般式（II）または（III）で表される。但し、上記Ｂ成分は、下記一般式（II）においてアルキル基の炭素数がＣ12であるアルキルアミンオキサイドは含まず、下記一般式（III）の化合物を含む。
【００１５】
2007119587.tif 000003
（上記一般式（II）におけるＲ2は炭素数１０、１４〜１８のアルキル基である。）
2007119587.tif 000004
（上記一般式（III）においてＲ3は炭素数１１〜１２のアルキル基である。）
【００１６】
このようなＢ成分におけるアルキル基の好ましい例としては、Ｃ10のデシル基、Ｃ14のテトラデシル基などが挙げられる。上記Ｂ成分においてアルキル基の炭素数が１０未満（９以下）であると発泡性が不充分などの理由で本発明の目的には不適当であり、一方、上記Ｂ成分においてアルキル基の炭素数が１８を超える（１９以上）と排水規制値低減化に寄与しないなどの理由で本発明の目的には不適当である。
以上の如きＢ成分は、例えば、商品名アロモックスＤＭ１４Ｄ−Ｎ（ライオン（株）製）、商品名アロモックスＤＭ１０Ｄ−Ｗ（ライオン（株）製）、商品名ソフタゾリンＬＡＯ（川研ファインケミカル（株）製）、商品名Ｇｅｎａｍｉｎｏｘ  Ｋ１０（クラリアントジャパン（株）製）などの商品名で市場から入手して本発明で使用できる。
【００１７】
前記一般式（II）においてＲ2が炭素数１２のアルキル基である場合には、ＰＲＴＲ法該当などの理由で本発明の目的には不適当である。また、前記一般式（III）においてアルキル基の炭素数が１１〜１２であっても、構造中にアミドプロプル基を有しているなどの理由で本発明の目的は達成される。
【００１８】
本発明の洗浄剤中における上記Ａ成分およびＢ成分の混合割合（使用割合）は、質量比でＡ／Ｂ＝２０／８０〜８０／２０とすることが、洗浄剤の洗浄性および発泡性の性能の点で必要であり、また、排水規制値低減化においても好ましい。Ａ成分の混合割合が上記範囲未満であると、洗浄剤としての洗浄性が充分に発揮されず、排水規制値低減化に寄与してこない。一方、Ａ成分の混合割合が上記範囲を超えると、洗浄剤の発泡性が充分に発揮されない。洗浄性、発泡性および排水規制値低減化を考慮すると、上記Ａ成分およびＢ成分の混合質量比がＡ／Ｂ＝４０／６０〜７０／３０であることが好ましい。
【００１９】
本発明の洗浄剤は、前記必須成分に加えて、さらに必要に応じてキレート剤、アルカリビルダー、防腐剤、腐食抑制剤、ｐＨ調整剤、多価アルコール、酸化防止剤、染料、香料などの助剤を、本発明の目的達成を妨げない範囲において配合することができるが、石油系原料から合成されるポリ（オキシエチレン）ノニルフェニルエーテルやポリ（オキシエチレン）オクチルフェニルエーテルなどの合成系の洗浄成分を実質的に含まないことが好ましい。
【００２０】
本発明の洗浄剤は、上記の如き各成分の単たる混合物でもよいが、通常は前記各成分を水に溶解した水溶液の状態であることが好ましく、その濃度は実際の洗車時に使用する濃度、例えば、０．０１〜１．００質量％の濃度でもよいし、また、濃厚物として調製し使用時に適切な濃度に希釈して使用してもよい。
【００２１】
本発明のワックス組成物は、主要なワックス成分が、動植物油および／または動植物ワックス（Ｃ成分）であることを特徴としている。該組成物は、石油系原料からなるワックス成分を実質的に含有していないこと、および動植物油および／または動植物ワックス２〜２０質量％とカチオン系界面活性剤（Ｄ成分）２〜１０質量％とノニオン系界面活性剤（Ｅ成分）０．１〜３．０質量％と残余の水分とからなり、上記ワックス成分が上記界面活性剤により水中に乳化されていることが好ましい。
【００２２】
上記Ｃ成分の動植物油としては、例えば、牛脂、豚脂、馬脂、羊脂、あまに油、大豆油、ゴマ油、コーン油、菜種油、綿実油、オリーブ油、ひまし油、落花生油、パーム油、ヤシ油などが挙げられ、また、動植物ワックスとしては、木ろう、ライスワックス、キャンデリラワックス、カルナバワックス、蜜ロウ、ミンクワックス、ラノリンなどが挙げられる。特に好ましいもの大豆硬化油、ひまし硬化油、菜種硬化油、パーム硬化油、牛脂硬化油が挙げられる。はこれらのＣ成分はいずれの単独でも混合物としてでも使用することができる。
【００２３】
上記Ｄ成分としては、アンモニウムクロライドＥＯ付加物、例えば、商品名エソカードＣ／２５（ライオン（株）製）、モノアルキルアンモニウムクロライド、例えば、アーカードＴ−２８、アーカードＴ−３０、アーカードＴ−８００、アーカード１２−３３、アーカード１６−２９、アーカード２２−８０（以上、ライオン（株）製）、ジアルキルアンモニムクロライド、例えば、アーカード２ＨＰフレーク（ライオン（株）製）、カチオンＤＳ（三洋化成工業（株）製）、アミン酢酸塩、例えば、アーマックＣ、アーマックＨＴフレークなどが挙げられる。
【００２４】
また、上記Ｅ成分としては、アルキルアミンＥＯ付加物、例えば、商品名エソミンＣ／１２、エソミンＣ／１５、エソミンＣ／２５、エソミンＴ／１２、エソミンＴ／１５、エソミンＴ／２５、エソミンＳ／１５、エソミンＳ／２５、（以上、ライオン（株）製）、アルキルジアミンＥＯ付加物、例えば、エソデュオミンＴ／１３、エソデュオミンＴ／２５（以上、ライオン（株）製）などが挙げられる。
【００２５】
本発明のワックス組成物における上記各成分の使用割合は、Ｃ成分、Ｄ成分、Ｅ成分および水の合計質量を１００質量％とした場合、Ｃ成分は２〜２０質量％であることが好ましい。Ｃ成分の割合が２質量％未満であると車両表面においてワックスの皮膜が充分に形成されず、充分な撥水性を有する皮膜を得ることができない点で好ましくなく、一方、Ｃ成分の割合が２０質量％を超えると、車両表面に過剰量のワックス分が付着し、油膜状となるためフロントガラスなどに付着した場合に視界不良を起こし、さらにはボディへの余剰な油分付着によるギラツキなどの外観不良を起こし、また、排水規制値低減化において好ましくない。
【００２６】
Ｄ成分の使用割合は２〜１０質量％であることが好ましい。Ｄ成分の割合が２質量％未満であると上記Ｃ成分のワックス皮膜が吸着されず、充分な撥水性を得ることができない点で好ましくなく、一方、Ｄ成分の割合が１０質量％を超えると、車両表面に過剰なワックス皮膜が吸着し、フロントガラスなどの外観不良やボディへの外観不良を起こし、また排水規制値低減化において好ましくない。
【００２７】
Ｅ成分の使用割合は０．１〜３．０質量％であることが好ましい。Ｅ成分の割合が０．１質量％未満であるとワックスの可溶化が不充分となり、製品安定性が悪くなり、ワックス分の析出や分離などを起こす点において好ましくなく、一方、Ｅ成分の割合が３．０質量％を超えると、Ｅ成分の持つ表面張力低下能により、撥水性能を落としてしまう点において好ましくない。なお、残分は水である。
【００２８】
本発明のワックス組成物は、前記必須成分に加えて、さらに必要に応じて防腐剤、腐食抑制剤、ｐＨ調整剤、多価アルコール、酸化防止剤、染料、香料などの助剤を、本発明の目的達成を妨げない範囲において配合することができる。
【００２９】
また、本発明のワックス組成物の調製方法は、好ましくは前記Ｃ成分をＤ成分およびＥ成分により水中に乳化させることにより得られる。得られる乳化液のワックス成分濃度は特に限定されないが、使用時においては２〜２０質量％の濃度が適当であり、これよりも高濃度に調製しておいて、使用時に上記濃度に希釈することが好ましい。
【００３０】
本発明のワックス処理方法は、前記本発明の洗浄剤およびワックス組成物を使用することが特徴である。先ず、前記本発明の洗浄剤を車両表面に適用して車両表面に付着している汚れを除去し、次いで前記本発明のワックス組成物を適用することで行なわれる。上記の洗浄およびワックス処理方法は特に限定されないが、通常は、自動式洗車機、例えば、門型洗車機、連続式門型洗車機、スプレー式洗車機などを用いて行なうことができる。このような方法でワックス処理後に排出される排水は、使用済みの上記洗浄剤およびワックス組成物の両方を含んでいるが、該排水中には環境ホルモンなどを生じる成分は実質上含まれておらず、また、ノルマルヘキサン抽出物、ＢＯＤ、およびＣＯＤなども低く、また、含まれる有機物はいずれも微生物分解性が高いので、環境に対する付加が低い。
【実施例】
【００３１】
以下に実施例および比較例を挙げて本発明をさらに詳しく説明する。但し、本発明はこれらの実施例によって何ら限定されるものではない。
［洗浄剤の調製］
表１に示す各成分と水道水および防腐剤とをビーカーに入れ、均一となるまで攪拌混合させて、本発明の洗浄剤（ＥＳ−１、２、３）と比較例の洗浄剤（ＤＳ−１、２、３）とした。
2007119587.tif 000005
【００３２】
表中の数値は質量部数を意味し、表中の＊１〜４の数値は、各原料の有効成分量を質量部数で表記したものであり、有効成分量以外のもの（主に水分）は表中の水に加算してある。
＊１：商品名ノニオシドＤ−１２（第一工業製薬（株）社製、有効成分量４０質量％）（前記一般式（Ｉ）においてＲ1＝Ｃ10〜Ｃ14、ｎ＝１〜２）
＊２：商品名アロモックスＤＭ１０Ｄ−Ｗ（（株）ライオン社製、有効成分量４０質量％）（前記一般式（II）においてＲ2＝Ｃ10）
＊３：ポリオキシエチレンノニルフェニルエーテル（ＥＯ９モル付加物）
＊４：ポリオキシエチレンオクチルフェニルエーテル（ＥＯ１０モル付加物）
表１の各洗浄剤の性状については下記の方法で評価を行い、その結果を表１に併せて示した。
（発泡性の評価）
〈評価方法〉
表１の各洗浄剤を水道水にて１５０倍に希釈し、ロスマイルス法（ＪＩＳ  Ｋ  ３３６２）にて、泡の高さ（ｍｍ）を測定した。
【００３３】
〈評価基準〉
１：５０（ｍｍ）未満。泡立ちかなり弱い。
２：５０以上１００未満。泡立ちやや弱い。
３：１００以上１５０未満。泡立ち弱い。
４：１５０以上２００未満。泡立ち強い。
５：２００以上。泡立ちかなり強い。
【００３４】
（洗浄性の評価）
〈評価方法〉
パラフィンオイル／オレイン酸＝５０／５０（質量比）の模擬汚染油をテストピースに塗布・乾燥後、表１の各洗浄剤の１００質量倍希釈液が入ったビーカーに浸漬し、攪拌子がテストピースに接触しないように緩やかな攪拌を５分間行い、水洗後のテストピース表面の水濡れ状態を目視にて判定する。
【００３５】
〈評価基準〉
１：水濡れ面積２０％未満。洗浄性かなり低い。
２：水濡れ面積２０％以上４０％未満。洗浄性やや低い。
３：水濡れ面積４０％以上６０％未満。洗浄性低い。
４：水濡れ面積６０％以上８０％未満。洗浄性高い。
５：水濡れ面積８０％以上。洗浄性かなり高い。
【００３６】
［ワックス組成物の調製］
表２に示すＣ成分、Ｄ成分およびＥ成分を、予め９０℃まで加熱し、攪拌をしながら酢酸を投入した温水を注ぎ、転相、溶解、均一混合させてから、室温まで冷却を行って本発明のワックス組成物（ＥＷ−１、２、３）と比較例のワックス組成物（ＤＷ−１、２、３）とした。
【００３７】
2007119587.tif 000006
【００３８】
表中の数値は質量部数を意味し、表中の＊５〜７の数値は、各原料の有効成分量を質量部数で表記したものであり、有効成分量以外のもの（主に水分）は表中の温水に加算してある。
＊５：大豆硬化油（商品名ＩＨＳＢ−６７、ミヨシ油脂（株）社製）
＊６：商品名アーカード２ＨＰフレーク（ライオン（株）社製）
＊７：商品名エソミンＴ−１２（ＥＯ９モル付加物、ライオン（株）社製）
【００３９】
各ワックス組成物の性状については下記の方法で評価を行い、その結果を表２に併せて示した。
（撥水性の評価）
〈評価方法〉
表２の各組成物を水道水にて１００質量倍に希釈し、そこへ予め油分除去をしたカチオン電着塗装のテストピースを１５秒間浸漬する。水洗後、霧状の水をハンドガンスプレーにてテストピースへ吹き付け、その時の撥水状態を確認する。
【００４０】
〈評価基準〉
１：撥水面積２０％未満。撥水性かなり低い。
２：撥水面積２０％以上４０％未満。撥水性やや低い。
３：撥水面積４０％以上６０％未満。撥水性低い。
４：撥水面積６０％以上８０％未満。撥水性高い。
５：撥水面積８０％以上。撥水性かなり高い。
【００４１】
（水引性の評価）
〈評価方法〉
表２の各組成物を水道水にて１００質量倍に希釈し、そこへ予め油分除去をしたカチオン電着塗装のテストピースを１５秒間浸漬する。水洗後、水道水が入った１Ｌビーカーにテストピースを浸漬し、引き上げてからテストピースを１５度に傾け、一定時間経過後の水引状態（水引き面積）を確認する。
【００４２】
〈評価基準〉
１：水引面積２０％未満。撥水性かなり低い。
２：水引面積２０％以上４０％未満。撥水性やや低い。
３：水引面積４０％以上６０％未満。撥水性低い。
４：水引面積６０％以上８０％未満。撥水性高い。
５：水引面積８０％以上。撥水性かなり高い。
【００４３】
（排水値低下割合の評価）
〈評価方法〉
前記本発明および比較例の各洗浄剤および各ワックス組成物を、それぞれ１００質量倍に希釈し、表３に記載の組み合わせで質量比５０：５０に混合し、各混合液のノルマルヘキサン抽出分、ＢＯＤおよびＣＯＤを測定した。比較例９のノルマルヘキサン抽出分、ＢＯＤおよびＣＯＤをそれぞれ１００した時の各実施例および比較例のノルマルヘキサン抽出分、ＢＯＤおよびＣＯＤの低下割合を計算し、下記の基準で評価し、評価結果を表４に示した。
【００４４】
〈評価基準〉
１：排水値低下率１０％未満。かなり低い。
２：排水値低下率１０％以上２０％未満。やや低い。
３：排水値低下率２０％以上４０％未満。低い。
４：排水値低下率４０％以上５０％未満。高い。
５：排水値低下率５０％以上。かなり高い。
【００４５】
2007119587.tif 000007
【００４６】
2007119587.tif 000008
【００４７】
表４の評価結果より、実施例１〜９の洗浄剤とワックス組成物との組み合わせは、石油系原料からなる成分が配合された比較例の洗浄剤とワックス組成物との組み合わせに比べて排水値の低下率が非常に高くなっていた。このことから本発明の洗浄剤やワックス組成物は、石油系製品を使用した製品とほぼ同レベルの性能を有しているうえで、排水値の低下率を高くすることができるという顕著な効果を奏するといえる。
【００４８】
なお、上記における排水値の測定は以下の方法で行なった。
（ノルマルヘキサン抽出分）
ノルマルヘキサン抽出物質とは、試料を微酸性とし、ヘキサン抽出を行った後、約８０℃でヘキサンを揮散させたときに残留する物質をいう。測定方法は、ＪＩＳ  Ｋ  ０１０２：１９９８  工場排水試験方法に準ずる。
（ＢＯＤ）
ＢＯＤ（生物化学的酸素消費量）とは、水中の好気性微生物によって消費される溶存酸素の量をいう。試料を希釈水で希釈し、２０℃で５日間放置した時消費された溶存酸素の量で表す。測定方法は、ＪＩＳ  Ｋ  ０１０２：１９９８  工場排水試験方法に準ずる。
（ＣＯＤ）
ＣＯＤ（化学的酸素消費量）とは、試料を硫酸酸性とし、酸化剤として過マンガン酸カリウムを加え、沸騰水浴中で３０分間反応させ、そのとき消費した過マンガン酸の量を求め、相当する酸素の量で表す。測定方法は、ＪＩＳ  Ｋ  ０１０２：１９９８  工場排水試験方法に準ずる。
【産業上の利用可能性】
【００４９】
本発明の洗浄剤およびワックス組成物は、門型洗車機やスプレー洗車機などの自動塗布装置を有しているガソリン給油所、コイン洗車場あるいは排水規制の厳しい地域などでも、従来の石油系原料からなる成分を配合した製品に比べて環境汚染を軽減させることができることから、非常に有用な洗浄剤およびワックス組成物といえる。これらの洗浄剤およびワックス組成物を用いる本発明の方法は、従来の方法に比較して環境汚染を軽減させることが明らかである。